(57)【要約】【課題】  組み立て工数の増大を招くことなく、輝度の高い照明が行える照明装置１を提供する。【解決手段】  自発光する面光源を具備した発光部２と、通過物を検知する検出部３と、検出部３が検出した通過物が通行人の場合には、発光部２を発光させる駆動部４とを備える。【選択図】      図１
2011040325.tif 000002
【特許請求の範囲】
【請求項１】
自発光する面光源を具備した発光部と、
通過物を検知する検出部と、
前記検出部が検出した通過物が通行人の場合には、前記発光部を発光させる駆動部とを備えることを特徴とする照明装置。
【請求項２】
請求項１に記載の照明装置であって、
前記発光部は、有機エレクトロルミネッセンスパネルを含むことを特徴とする照明装置。
【請求項３】
請求項１又は２に記載の照明装置であって、
前記検出部は、通過物を検知する通過物検出器と、
周囲の明るさを検出する周囲光検出器と、を備えることを特徴とする照明装置。
【請求項４】
請求項３に記載の照明装置であって、
前記駆動部は、前記通過物検出器からの信号に基づき通過物が通行人か否かを判断すると共に、前記周囲光検出器からの信号に基づき周囲の明るさを判断して、これらの判断結果に基づき前記発光部に照明・消灯の指示する制御回路を備えることを特徴とする照明装置。
【請求項５】
請求項３又は４に記載の照明装置であって、
前記検出部は、通行人の通行方向に沿って設けられた少なくとも２つの前記通過物検出器を備えて、前記駆動部は、いずれかの前記通過物検出器からの信号を受信すると、前記発光部への指示内容を逆転させること特徴とする照明装置。
【請求項６】
請求項１乃至５のいずれか１項に記載の照明装置であって、
前記駆動部は、前記発光部による発光時間を管理するタイマーを備えることを特徴とする照明装置。
【請求項７】
請求項３乃至６のいずれか１項に記載の照明装置であって、
前記通過物検出器が、圧電素子、感応素子、人感センサのいずれか１つであることを特徴とする照明装置。
【請求項８】
請求項１乃至７のいずれか１項に記載の照明装置であって、
前記駆動部は、所定の情報を光情報として前記発光部に発光させることを特徴とする照明装置。
【請求項９】
請求項１乃至８のいずれか１項に記載の照明装置であって、
前記発光部を保護する保護部を備えること特徴とする照明装置。
【請求項１０】
通過物を検知する通過物検出手順と、
前記通過物検出手順が検出した通過物が通行人であるか否かを判断する通行人判断手順と、
前記通行人判断手順により通過物が通行人であると判断された場合に、面光源を駆動して照明させる発光手順とを備えることを特徴とする照明装置の駆動方法。
【請求項１１】
請求項１０に記載の照明装置の駆動方法であって、
周囲の明るさを検出する周囲光検出手順と、
前記周囲光検出手順により検出された周囲の明るさが照明の必要な明るさか否かを判断する周囲光判断手順とを含み、
前記発光手順が、前記通行人判断手順により通過物が通行人であると判断され、かつ、前記周囲光検出手順により検出された周囲の明るさが照明の必要な明るさであると判断した場合に、面光源を駆動して照明させることを特徴とする照明装置の駆動方法。
【請求項１２】
請求項１０又は１１に記載の照明装置の駆動方法であって、
照明開始からの時間を計時して所定時間経過すると照明を消灯させる照明時間管理手順を含むことを特徴とする照明装置の駆動方法。
【請求項１３】
請求項１０乃至１２のいずれか１項に記載の照明装置の駆動方法であって、
前記通過物検出手順が、異なる場所に配置された第１の通過物検出手段と第２の通過物検出手段とのいずれかの通過物検出手段が通過物を検出すると通過物信号を出力し、前記通行人判断手順が、前記通過物信号を受信すると、前記面光源の発光状態を逆転させる指示を前記発光手順に出力することを特徴とする照明装置の駆動方法。
【発明の詳細な説明】
【技術分野】
【０００１】
本発明は、面光源を備えた照明装置及びその駆動方法に関する。
【背景技術】
【０００２】
夜間等における階段の昇降時の安全性を確保するために、階段の踏み板に複数の発光ダイオード（ＬＥＤ）を埋め込んだ照明装置が提案されている（特許文献１参照）。この照明装置は人感センサを備えて、この人感センサが昇降人を検出すると、照明を行うようになっている。
【先行技術文献】
【特許文献】
【０００３】
【特許文献１】特開２００５−１４６７４７号公報
【発明の概要】
【発明が解決しようとする課題】
【０００４】
しかしながら、１個のＬＥＤによって放射される光の輝度は小さいため、特開２００５−１４６７４７号にかかる照明装置のように複数のＬＥＤを用いる必要があるが、複数のＬＥＤを用いる場合は照明装置の組み立て工数が増大する問題がある。
【０００５】
そこで、本発明は、組み立て工数の増大を招くことなく、輝度の高い照明が行える照明装置及びその駆動方法を提供することを目的とする。
【課題を解決するための手段】
【０００６】
上記課題を解決するために、照明装置にかかる発明は、自発光する面光源を具備した発光部と、通過物を検知する検出部と、検出部が検出した通過物が通行人の場合には、発光部を発光させる駆動部とを備えることを特徴とする。
【０００７】
また、照明装置の駆動方法は、通過物を検知する通過物検出手順と、通過物検出手順が検出した通過物が通行人であるか否かを判断する通行人判断手順と、通行人判断手順により通過物が通行人であると判断された場合に、面光源を駆動して照明させる発光手順とを備えることを特徴とする。
【発明の効果】
【０００８】
本発明によれば、組み立て工数の増大を招くことなく、輝度の高い照明が行えるようになる。
【図面の簡単な説明】
【０００９】
【図１】本発明の第１の実施形態における照明装置の断面図である。
【図２】本発明の第２の実施形態における照明装置の断面図である。
【図３】第２の実施形態の照明装置のブロック図である。
【図４】第２の実施形態の照明装置の発光部の構成図で、（ａ）は上面図、（ｂ）は（ａ）におけるＡ−Ａ線に沿った断面図である。
【図５】第２の実施形態における照明手順のフローチャートである。
【図６】本発明の第３の実施形態における通行人が検出されなくなってから所定時間後に消灯する場合の照明手順のフローチャートである。
【図７】第３の実施形態における複数の通過物検出器を設けた照明装置の断面図である。
【図８】第３の実施形態における複数の通過物検出器を設けた照明装置の照明手順を示すフローチャートである。
【図９】第３の実施形態における人感センサを設けた照明装置が設置された廊下の斜視図である。
【図１０】本発明の第４の実施形態における光情報機能を備えた照明装置が設置された廊下の斜視図である。
【図１１】第４の実施形態における照明装置の発光部に用いたアクティブマトリクス有機エレクトロルミネッセンスパネルの上面図である。
【発明を実施するための形態】
【００１０】
本発明の各実施形態を図を参照して説明する。
＜１．第１の実施形態＞
図１は、第１の実施形態にかかる照明装置１の断面図である。照明装置１は、発光部２と、検出部３と、駆動部４とを備える。発光部２は、所定の信号が駆動部４から印加されることにより自発光する面光源である。検出部３は、通行人が照明装置１に接近又は達したことを検出して、その検出結果を検出信号として駆動部４に出力する。駆動部４は、検出部３からの検出信号を受信すると、発光部２を駆動する。発光部２が駆動されることにより照明が行われる。
【００１１】
この発光部２は、自発光する１つの面光源により形成されているので、照明する部位が面であっても、その面形状に応じた照明を高輝度で行うことが可能になる。即ち、例えばＬＥＤを用いて所定面積の領域を照明する場合や高輝度の照明を行う場合には、照明する部位の輪郭に沿って複数のＬＥＤを設ける必要があり、かつ、高輝度の照明を行うためには照明領域の輪郭に沿って並設するばかりでなく、照明領域の内側にも設ければならない。このように多数のＬＥＤを用いて面状の光源を形成するためには、多数のＬＥＤを並設するための工数が増大して照明装置のコストアップの要因となる。しかし、自発光する面光源を用いることにより、多数の光源を設けるための工数が省け、上述したコストアップが抑制できる。
【００１２】
従って、組み立て工数の増大を招くことなく、輝度の高い照明が行える照明装置を提供することが可能になる。
＜２．第２の実施形態＞
次に、本発明の第２の実施形態を説明する。図２は、床に埋設された第２の実施形態にかかる照明装置１０の断面図である。なお、図２においては、照明装置１０の部分拡大図を合わせて示している。また、図３はこの照明装置１０のブロック図である。照明装置１０は、保護板１１と、発光部１２と、検出部１３と、駆動部１４と、これらを収納する筐体１５とを備える。
【００１３】
保護板１１は、強度や耐摩耗性の高い強化ガラスや強化プラスチック等の透明部材を用いることができる。無論、ＤＬＣ（Ｄｉａｍｏｎｄ  Ｌｉｋｅ  Ｃａｒｂｏｎ）等の耐摩耗材をコーティングした強度の高い透明部材であっても良い。
【００１４】
検出部１３は、通過物検出器１３ａと周囲光検出器１３ｂを備える。通過物検出器１３ａとしては、圧電素子や感応素子等が例示でき、荷重を受けると所定の通過物信号Ｓ１を出力する。圧電素子は、受けた荷重に応じた電圧を発生する特性を持つので、この電圧を通過物信号Ｓ１として利用する。感応素子は、荷重を受けることにより抵抗値が変化する特性を持つので、抵抗値の変化に伴う電圧変化を通過物信号Ｓ１として用いる。以下では、圧電素子の場合を例に説明する。また周囲光検出器１３ｂとしては、フォトトランジスタを備えて周囲の明るさに応じたレベルを持つ周囲光信号Ｓ２を出力する照度計等が例示できる。
【００１５】
駆動部１４は、制御回路１４ａ及び駆動回路１４ｂを備える。制御回路１４ａは、検出部１３からの通過物信号Ｓ１や周囲光信号Ｓ２が入力して、これらの信号Ｓ１，Ｓ２に基づき発光部１２に電力供給するか否かを指示する制御信号Ｓ３を駆動回路１４ｂに出力する。駆動回路１４ｂは、制御信号Ｓ３に基づき発光部２への電力供給を行う。
【００１６】
筐体１５は、図２に示すように、開口部１５ｂを備えた箱体で、照明装置の外観を形成する脚部１５ａ、この脚部１５ａの内壁に形成された上係止部１５ｃ、この上係止部１５ｃより底部１５ｅ側に形成された下係止部１５ｄを備える。そして、筐体１５の底部１５ｅに駆動部１４が収納され、下係止部１５ｄに発光部１２が係止されている。また、上係止部１５ｃには検出部１３が載置され、開口部１５ｂを覆うように保護板１１が設けられている。なお、駆動部１４の設置場所は筐体１５の底部１５ｅに限定されず、種々のデッドスペースに設けることが可能である。
【００１７】
保護板１１における外縁部分の下面１１ａと脚部１５ａの頂面１５ａａとの間には、所定の隙間１６ｂが設けられている。即ち、頂面１５ａａは保護板１１の下面１１ａと離接している。また、保護板１１における外縁領域の下面１１ａは、隙間１６ａにより床と離接している。このように隙間１６ａ，１６ｂを設けた理由は、保護板１１が脚部１５ａの頂部１５ａａや床に当接して、通過物の荷重が脚部１５ａや床に加わらないようにするためである。即ち、通過物の荷重が通過物検出器１３ａに直接加わるように、隙間１６ａ，１６ｂが保護板１１と頂部１５ａａや床との当接の逃げ空間として作用する。
【００１８】
発光部１２は、自発光する面光源を備える。なお、本実施形態においては、面光源として有機エレクトロルミネッセンスパネル（以下、有機ＥＬパネルと記載する）を例に説明するが液晶パネルやプラズマパネルであってもよい。
【００１９】
図４（ａ）は発光部１２の上面図であり、図４（ｂ）は図４（ａ）におけるＡ−Ａ線に沿った断面図である。発光部１２は、透明基板１２ａ、カソード電極１２ｂ、有機ＥＬ層１２ｅ、アノード電極１２ｄ等を備える。
【００２０】
透明基板１２ａは、ガラス等の透明部材から形成されて、一方の面に直線溝１２ｃが、複数並設されている。この直線溝１２ｃはフォトリソグラフィ技術を用いて透明基板１２ａにストライプ状のレジストパターンを形成し、このレジストパターンエッチングマスクとして透明基板１２ａをエッチングすることにより形成されている。
【００２１】
なお、透明基板１２ａの形状やサイズは、照明装置の設置場所等に応じて選択できる。例えば、階段の踏み板の照明に用いる場合には、踏み板のサイズや形状に設定する。また、Ｔ字廊下に設ける場合には、Ｔ字状の形状にすることができる。
【００２２】
この各直線溝１２ｃの底部には、スパッタ技術を用いてＩＴＯ（インジウム錫酸化物）等のカソード電極１２ｂが、設けられている。
【００２３】
また、透明基板１２ａの全面（直線溝１２ｃの開口側の全面）には、有機ＥＬ層１２ｅが設けられている。なお、カソード電極１２ｂの上の有機ＥＬ層１２ｅと、透明基板１２ａの上の有機ＥＬ層１２ｅとの２つの有機ＥＬ層が形成されるが、発光に寄与する有機ＥＬ層１２ｅは、カソード電極１２ｂとアノード電極１２ｄとで挟まれた層である。
【００２４】
このような有機ＥＬ層１２ｅとしては、発光層と正孔注入輸送層からなる２層構造、これに電子注入輸送層を加えた３層構造、更に金属電極との界面に薄い絶縁膜を配置した構造が適用可能である。正孔注入輸送層の材料として、例えばトリアリールアミン誘導体、オキサジアゾール誘導体、ポリフィリン誘導体等、発光層の材料として、例えば８−ヒドロキシキノリン及びその誘導体の金属錯体、テトラフェニルブタジエン誘導体、ジスチリルアリール誘導体等が例示できる。また、電子注入輸送層にトリス（８−キノリノール）アルミニウム（Ａｌｑ３）を用いることができる。
【００２５】
有機ＥＬ層１２ｅの上面には、アノード電極１２ｄが設けられている。このアノード電極１２ｄは、マグネシウム銀合金等の光反射が可能な金属薄膜から形成されている。
【００２６】
そして、アノード電極１２ｄ側の透明基板１２ａには、有機ＥＬ層等を封止する封止基板１２ｆが設けられ、この封止基板１２ｆとアノード電極１２ｄとの間に封止剤１２ｇが貼付けて設けられている。封止剤１２ｇは、封止基板１２ｆとアノード電極１２ｄとで囲まれた空間内の真空を保つためのゲッタとして作用する。
【００２７】
このように所定面積、かつ、所定形状の透明基板１２ａ上にカソード電極、有機ＥＬ層、アノード電極を形成した発光部を用いるため、１枚の発光部で照明装置が組み立てられる。従って、組み立て工数の増加を抑制しながら輝度の高い照明装置が製造できる。
【００２８】
次に、この照明装置１０の動作を説明する。なお、照明装置１０は、廊下等に形成された収納穴に設置されている場合を例に説明するが、階段の踏み板や壁等に設けることも可能である。
【００２９】
廊下の収納穴に設置された照明装置１０は、図５に示すフローチャートに従い動作する。先ず、検出部１３における通過物検出器１３ａから通過物信号Ｓ１及び周囲光検出器１３ｂから周囲光信号Ｓ２が、駆動部１４の制御回路１４ａに入力する。
【００３０】
制御回路１４ａは、通過物検出器１３ａからの通過物信号Ｓ１が予め設定された通過物判定レベルを超えたか否かを判断する（ステップＳＡ１）。このときの通過物判定レベルは、通行人を検出するための基準レベルである。通過物検出器１３ａで検出される通過物には、通行人や猫等の重量を持つ物が含まれる。しかし、猫が通過した場合に照明を行う必要はない。そこで、猫等の通行人以外の通過物に対して照明が行われないようにするために、人の重さに相当する通過物信号Ｓ１の信号レベルを通過物判定レベルに設定している。
【００３１】
この通過物信号Ｓ１が通過物判定レベル以上の場合には、周囲光検出器１３ｂからの周囲光信号Ｓ２が予め設定された照度判定レベル以上であるか否かを判断する（ステップＳＡ２）。このときの照度判定レベルは、周囲の明るさを判断するための基準レベルであり、例えば昼間のように明るい場合に照明しないようにするために設けている。
【００３２】
通過物信号Ｓ１が通過物判定レベル以上で、かつ、周囲光信号Ｓ２が予め設定された照度判定レベル以上の場合には、ステップＳＡ３に進み、タイマーがスタートすると共に、制御回路１４ａは駆動回路１４ｂに制御信号Ｓ３を出力する（ステップＳＡ３）。なお、タイマーは制御回路に設けられている。発光部１２に電力供給を指示する制御信号Ｓ３が出力されると、駆動回路１４ｂは発光部１２に電力供給を開始する。
【００３３】
これにより、発光部１２のカソード電極１２ｂとアノード電極１２ｄとの間に電圧が印可され、有機ＥＬ層１２ｅに正孔注入が生じて発光する。発光により放射された光は、カソード電極１２ｂ及び透明基板１２ａを通過して廊下等を照明する（ステップＳＡ４）。また、発光した光はアノード電極１２ｄ側にも放射されるが、アノード電極１２ｄは光を反射するため、反射された光もカソード電極１２ｂ及び透明基板１２ａを通過して廊下等を照明する。
【００３４】
その後、制御回路１４ａは、タイマーにより予め設定された照明時間が経過したか否かを判断する（ステップＳＡ５）。なお、照明時間は、通行人が照明装置の領域を通過するのに要する時間として、ユーザ等により予め制御回路１４ａに変更可能に設定されている。ここで、照明装置の領域は、照明装置が存在する領域の意味である。以下同様とする。
【００３５】
制御回路１４ａは照明時間が経過したと判断した場合には、駆動回路１４ｂに消灯を指示する制御信号Ｓ３を出力する。駆動回路１４ｂは、この制御信号Ｓ３を受信すると、発光部１２への電力供給を停止する（ステップＳＡ６）。従って、必要な時間だけ照明を行うことができるようになる。
【００３６】
以上説明したように、発光部が面光源であり、自発光する光源であるため、少ない工数で輝度の高い照明が可能な照明装置を提供することができる。また、照明時間が予め設定されているので、必要な時間だけ照明できるようになる。
＜３．第３の実施形態＞
次に、第３の実施形態を説明する。なお、第２の実施形態と同一構成に関しては同一符号を用いて説明を適宜省略する。第２の実施形態においては、予め設定された照明時間だけ照明するようにした。しかし、この照明時間は通行人の速度等にかかわらず設定されているため、例えば歩行速度の遅い老人に対しては照明時間が短い場合が生じ、逆に歩行速度が速い子供に対しては照明時間が長くなる場合が生じる。
【００３７】
そこで、本実施形態では、照明時間を設定せずに、通行人が通行している間だけ照明できるようにしたものである。このような方法の例として、以下においては、（Ａ）通行人が検出されなくなってから所定時間経過後に消灯する場合、（Ｂ）複数の通過物検出器を設けて通行人が照明装置の領域を通過しているときだけ照明する場合、（Ｃ）通過物検出器を所定の感応範囲を持つ人感センサで構成する場合を例として説明する。
（Ａ）通行人が検出されなくなってから所定時間経過後に消灯する場合。
【００３８】
図６は、通行人が検出されなくなってから所定時間経過後に消灯する手順を含むフローチャートである。制御回路１４ａには、通過物検出器１３ａからの通過物信号Ｓ１及び周囲光検出器１３ｂからの周囲光信号Ｓ２が入力している。そこで、制御回路１４ａは、通過物検出器１３ａからの通過物信号Ｓ１が予め設定された通過物判定レベル以上か否かを判断し（ステップＳＢ１）、また周囲光検出器１３ｂからの周囲光信号Ｓ２が予め設定された照度判定レベル以上か否かを判断する（ステップＳＢ２）。この手順は、図５に示した手順（ステップＳＡ１、ステップＳＡ２）と同じである。
【００３９】
通過物信号Ｓ１が通過物判定レベル以上であり、かつ、周囲光信号Ｓ２が照度判定レベル以上の場合には、制御回路１４ａは照明を指示する制御信号Ｓ３を駆動回路１４ｂに出力する。これにより駆動回路１４ｂは発光部２に電力供給を開始して照明が行われる（ステップＳＢ３）。
【００４０】
その後、処理はステップＳＢ１に戻る。検出部３が通行人を検出し続けている場合には、上述したステップＳＡ１〜ステップＳＡ３を繰り返すが、通行人を検出しなくなった場合には、ステップＳＡ１からステップＳＢ４に進む。
【００４１】
ステップＳＢ４では、タイマーによる計時が開始され、ステップＳＢ５でタイマーが所定の消灯遅延時間を計時するまで待ち状態となる。この消灯遅延時間はユーザ等により予め制御回路１４ａに変更可能に設定される。タイマーが消灯遅延時間を計時すると、ステップＳＢ６に進み、制御回路１４ａは消灯を指示する制御信号Ｓ３を駆動回路１４ｂに出力する。
【００４２】
ステップＳＢ４〜ステップＳＢ６は、消灯処理である。通行人が検出されなくなっても、検出部３の近くに通行人が居るため、通行人が検出されなくなると同時に消灯すると、十分な安全性が保てない場合が生じる。そこで、通行人が検出されなくなってから所定時間（消灯遅延時間）が経過してから消灯を行うようにする。
【００４３】
このように、通行人が検出されなくなってから消灯を行うため、通行人の通過速度にかかわらず、常に通行人を照明することができるようになる。また、消灯は、通行人が検出されなくなってから所定の消灯遅延時間経過後に消灯するため、通過後の安全も確保できるようになる。
（Ｂ）複数の通過物検出器を設けて通行人が照明装置の領域を通過しているときだけ照明する場合。
【００４４】
次に、複数の通過物検出器を設けて、通行人が照明装置の領域を通過しているときだけ照明する場合を説明する。本実施形態にかかる通過物検出器は、第１通過物検出器１３ａａと第２通過物検出器１３ａｂとを備える。
【００４５】
図７は、廊下に埋設された照明装置１０Ｂの断面図である。図７において照明装置１０の右端領域に第１通過物検出器１３ａａが設けられ、左端領域に第２通過物検出器１３ａｂが設けられている。これにより、通行人の進行方向に応じて、第１通過物検出器１３ａａと第２通過物検出器１３ａｂとの通過物の検出タイミングに時間差が生じる。この時間差は、通行人が照明装置の領域を通過する時間となる。
【００４６】
図８は、この照明装置１０Ｂにおける照明手順のフローチャートである。図７において、通行人が右側から左側に移動するとき、最初に第２通過物検出器１３ａｂが通行人を検出し、その通過物信号が制御回路１４ａに入力する。制御回路１４ａは受信した通過物信号と通過物判定レベルとを比較して、通過物が通行人であるか否かを判断する（ステップＳＣ１）。
【００４７】
通過物が通行人の場合には、周囲光検出器１３ｂから周囲光信号と照度判定レベルとを比較して、照明が必要か否かを判断する（ステップＳＣ２）。通過物が通行人であり、かつ、周囲が暗い場合には、制御回路１４ａは駆動回路１４ｂに照明指示の制御信号Ｓ３を出力する。これにより、駆動回路１４ｂから発光部１２に電力供給が行われることにより照明が行われる（ステップＳＣ３）。
【００４８】
次に、通行人が照明装置の領域を歩行して、第１通過物検出器１３ａａにより検出されると、第１通過物検出器１３ａａから通過物信号が制御回路１４ａに出力される。制御回路１４ａは受信した通過物信号と通過物判定レベルとを比較して、通過物が通行人であるか否かを判断する（ステップＳＣ４）。通過物が通行人の場合には、制御回路１４ａは消灯を指示する制御信号Ｓ３を出力する（ステップＳＣ５）。これにより、通行人の速度にかかわらず、通行人が照明装置の領域を通過している最中だけ照明することができるようになる。
【００４９】
なお、制御回路１４ａは、通過物信号を第１通過物検出器１３ａａと第２通過物検出器１３ａｂとの何れから受信したかについては判断しない。即ち、制御回路１４ａは通過物信号を受信すると、現在出力している制御信号の内容（照明指示又は消灯指示）と逆の内容の制御信号を出力する。これにより、例えば図７において、通行人が右から左に移動する場合や左から右に移動する場合を考慮することなく、通行人が照明装置の領域を通過している最中だけ照明することができるようになる。
（Ｃ）通過物検出器を所定の感応範囲を持つ人感センサで構成する場合。
【００５０】
次に、通過物検出器に人感センサを用いた場合を説明する。人感センサは所定の感応範囲を有するので、この感応範囲（人を検出できる範囲）内の通行人を検出することで照明又は消灯のタイミングを得ることが可能になる。このとき、人感センサからの信号に対して閾値を設定することにより通行人が存在していると判断する範囲（以下、設定感応範囲と記載する）の設定が可能である。感応範囲は人感センサの固有範囲であり、設定感応範囲より広い。また、設定感応範囲は照明装置の領域より広く設定する。
【００５１】
図９は、このような人感センサ１７を廊下の壁等に設けた場合の斜視図である。図９においてハッチングされた領域は、設定感応範囲１８を示している。このように人感センサ１７を設けることにより設定感応範囲１８の内側に居る通行人が検出される。そこで、通行人を検出している間だけ照明装置１０Ｃを照明する。
【００５２】
即ち、通行人が照明装置１０Ｃに接近して設定感応範囲１８に入ったときから、設定感応範囲１８を出るまで照明する。従って、通行人の速度に違いがあっても通過に必要な時間だけ照明することが可能になる。
【００５３】
また、人感センサ１７を用いることにより、通行人が照明装置の領域に達する前に照明が開始でき、かつ、照明装置の領域を通過しても直ぐに消灯せずに、暫くの間だけ照明を継続させることができる。この暫くの間とは、通行人が照明装置の領域を通過してから設定感応領域を通過するまでの歩行に要する時間である。以上により、通行人の速度にかかわらず、通行人が照明装置１０Ｃの領域を通過後も暫くの間照明が行われるので通過後の安全も確保できるようになる。
＜４．第４の実施形態＞
次に、第４の実施形態を説明する。これまでの各実施形態では、発光部２は光を発するだけであった。これに対して、本実施形態にかかる照明装置は、照明を行うと共に各種の情報を表示する情報表示機能を備える。このような情報としては、製品名、社名、歩行順路、各種の広告等が例示できる。このような情報を表示するため、発光部はマトリックス状の画素に区画されている。そして、駆動部は、各画素を個別に発光させる。
【００５４】
図１０は、廊下に埋設した照明装置１０Ｄの斜視図である。この照明装置１０Ｄにおける発光部は、公知のアクティブマトリクス有機ＥＬパネル１２Ｄにより形成されている。図１１は、アクティブマトリクス有機ＥＬパネル１２Ｄの上面図である。
【００５５】
このアクティブマトリクス有機ＥＬパネル１２Ｄは、互いに直交して設けられた複数のゲート線２２及びデータ線２３により複数の画素２４に区画され、各画素２４には有機ＥＬ素子２６及びＴＦＴ（Ｔｈｉｎ  Ｆｉｌｍ  Ｔｒａｎｓｉｓｔｏｒ）２５がそれぞれ設けられている。
【００５６】
有機ＥＬ素子２６は、カソード電極、アノード電極及び、これらの間に挟まれた有機ＥＬ層により形成されている。また、ＴＦＴ２５のソース２５ａは有機ＥＬ素子２６のカソード電極に接続され、ドレイン２５ｂはデータ線２３に接続され、ゲート２５ｃはゲート線２２に接続されている。
【００５７】
従って、ゲート線２２を介して駆動回路から伝送してきたゲート信号に応じてゲート電位が変化して、ＴＦＴ２５がＯＮ，ＯＦＦ動作する。ＴＦＴ２５がＯＮすると、データ線２３と有機ＥＬ素子２６のカソード電極とが導通する。これにより、データ線２３を介して駆動回路から伝送してきたデータ信号が有機ＥＬ素子２６に流れる。
【００５８】
１つのゲート線２２には複数のＴＦＴ２５が接続され、これらのＴＦＴ２５のドレイン２５ｂにはそれぞれ異なるデータ線２３が接続されている。従って、あるゲート線２２の信号がハイレベルになると、このゲート線２２に接続されている全てのＴＦＴ２５がＯＮとなって、これらのＴＦＴ２５に接続されているデータ線２３と有機ＥＬ素子２６のカソード電極とが導通する。このとき、あるデータ線２３のデータ信号のレベルがロウレベルであれば、そのデータ線２３と導通している有機ＥＬ素子２６には電流は流れないが、データ信号のレベルがハイレベルであれば、有機ＥＬ素子２６に電流が流れる。
【００５９】
このようにして、図１０に示したような各種の情報２０が表示される。この情報は光情報であるため、照明光としても機能する。よって、照明と共に各種の情報表示が可能になる。
【符号の説明】
【００６０】
１，１０，１０Ｂ，１０Ｃ，１０Ｄ  照明装置
１１  保護板
２，１２  発光部
１２Ｄ  アクティブマトリクス有機ＥＬパネル（発光部）
３，１３  検出部
１３ａ  通過物検出器
１３ｂ  周囲光検出器
１３ａａ  第１の通過物検出器
１３ａｂ  第２の通過物検出器
４，１４  駆動部
１４ａ  制御回路
１４ｂ  駆動回路
１７  人感センサ
【図１】
2011040325.tif 000003
【図２】
2011040325.tif 000004
【図３】
2011040325.tif 000005
【図４】
2011040325.tif 000006
【図５】
2011040325.tif 000007
【図６】
2011040325.tif 000008
【図７】
2011040325.tif 000009
【図８】
2011040325.tif 000010
【図９】
2011040325.tif 000011
【図１０】
2011040325.tif 000012
【図１１】
2011040325.tif 000013